(57)【要約】【課題】設置場所に関わらず対向する２つの側壁と天井と床の４面に鉛直面を示すライン光を照射できる小型で低コストのレーザ墨出し器を提供する。【解決手段】レーザ墨出し器１は、対向する２つの側壁の内の一方と天井と床とに鉛直方向に沿って連続したライン光Ａを放射するレーザユニット２０ａと、前記２つの側壁の内の他方と天井と床とに鉛直方向に沿って連続したライン光Ｂを放射するレーザユニットＢと、レーザユニット２０ａ，２０ｂがレーザユニット２０ａを上側にして上下に並べて取り付けられた装置本体６とを備え、ライン光Ａ，Ｂが同一の鉛直面内に放射されるとともに、ライン光Ａ，Ｂの一部が天井で重なり合うようにレーザユニット２０ａ，２０ｂを装置本体６に取り付けてある。【選択図】      図１
2005010109.tif 000002
【特許請求の範囲】
【請求項１】
それぞれレーザ光を円筒レンズに通すことによって光軸を中心にして扇状に広がるライン光を放射する複数台のレーザユニットを備えたレーザ墨出し器において、対向する２つの側壁の内の一方と天井と床とに鉛直方向に沿って連続した第１の垂直ライン光を放射する第１のレーザユニットと、前記２つの側壁の内の他方と天井と床とに鉛直方向に沿って連続した第２の垂直ライン光を放射する第２のレーザユニットと、第１及び第２のレーザユニットが第１のレーザユニットを上側にして上下に並べて取り付けられた装置本体とを備え、第１及び第２の垂直ライン光が同一の鉛直面内に放射されるように第１及び第２のレーザユニットを装置本体に取り付けたことを特徴とするレーザ墨出し器。
【請求項２】
第１及び第２のレーザユニットの光軸の仰角をそれぞれΦａ，Φｂとし、第１及び第２の垂直ライン光の広がり角度をそれぞれ２θａ，２θｂとすると、Φａ＋Φｂ＋θａ＋θｂ＞１８０°となるように仰角及び広がり角度を設定したことを特徴とする請求項１記載のレーザ墨出し器。
【請求項３】
装置本体を第１支軸の周りに揺動自在に軸支する第１支持体と、該第１支持体を第１支軸と直交する第２支軸の周りに揺動自在に軸支する第２支持体とで構成されるジンバル機構を備え、装置本体に対して第１のレーザユニットをジンバル機構よりも上側に配置するとともに、第２のレーザユニットをジンバル機構よりも下側に配置したことを特徴とする請求項１又は２記載のレーザ墨出し器。
【請求項４】
第１及び第２の垂直ライン光が放射される鉛直面に対して垂直な鉛直面内において、前記２つの側壁以外の側壁と天井と床とに鉛直方向に沿って連続した第３の垂直ライン光を放射する第３のレーザユニットを備え、第３のレーザユニットの光軸の仰角をΦｃ、第３の垂直ライン光の広がり角度を２θｃとすると、Φｃ＋θｃ＞９０°となるように、第３のレーザユニットを第１のレーザユニットと第２のレーザユニットとの間に上下に並べて装置本体に取り付けたことを特徴とする請求項１又は２記載のレーザ墨出し器。
【請求項５】
水平面内において前記第１〜第３の垂直ライン光が放射される３つの側壁に水平ライン光を放射する第４のレーザユニットを備え、第４のレーザユニットを第２のレーザユニットの下側に上下に並べて装置本体に取り付けたことを特徴とする請求項４記載のレーザ墨出し器。
【請求項６】
装置本体を第１支軸の周りに揺動自在に軸支する第１支持体と、該第１支持体を第１支軸と直交する第２支軸の周りに揺動自在に軸支する第２支持体とで構成されるジンバル機構を備え、装置本体に対して第３のレーザユニットをジンバル機構の下側に配置したことを特徴とする請求項４又は５記載のレーザ墨出し器。
【発明の詳細な説明】
【０００１】
【発明の属する技術分野】
本発明は、レーザによるライン光を利用して、例えば屋内のレイアウトの間仕切り、配管や照明器具の墨出し作業を行うためのレーザ墨出し器に関するものである。
【０００２】
【従来の技術】
この種のレーザ墨出し器としては、例えば特許文献１に示されるように、基台に回転自在に支持された回転台の上面に複数本の柱を立設して、これらの柱で上部支持台を支持するとともに、上部支持台の中央にジャイロを装着し、ジャイロの上面にレーザモジュール取付台を介して４台のレーザユニットを四方に向けて配設した構造のものがある。各レーザユニットはライン状のレーザ光をそれぞれ放射するものであり、４台のレーザユニットの内の２台はレーザモジュール取付台の中心位置を挟んで背中合わせに配置されており、これら２台のレーザユニットから放射されるレーザ光は同一の鉛直面内に放射される。また、残りの２台のレーザユニットもレーザモジュール取付台の中心位置を挟んで背中合わせに配置されており、これら２台のレーザユニットから放射されるレーザ光は、他の２台のレーザユニットからのレーザ光が放射される鉛直面に対して垂直な鉛直面内に放射される。而して、４台のレーザユニットによって互いに直交する２つの鉛直面を示すクロスラインが天井と四方の側壁とに投射されるのである。
【０００３】
また、特許文献２に示されるように、支持体の左右の側面と上面とにレーザユニットを１台ずつ配置し、これら３台のレーザユニットからのレーザ光で天井と両側壁とに鉛直面を示す垂直ラインを放射するとともに、上記鉛直面に対して垂直な垂直ライン及び水平ラインをそれぞれ放射するためのレーザユニットを１台ずつ備えたレーザ墨出し器も従来より提供されている。
【０００４】
また更に、特許文献３に示されるように、鉛直面内にライン光を照射するレーザユニットを斜め上向きに配置したレーザ墨出し器が従来より提供されており、このレーザ墨出し器を一方の側壁に近接させて配置することで、対向する２つの側壁と天井と床の四面に鉛直面を示す連続したライン光を投射するものがあった。
【０００５】
【特許文献１】
特開２０００−２３０８２８号公報
【特許文献２】
特許第２９４２９４８号明細書
【特許文献１】
特許第２７７２５１１号明細書
【０００６】
【発明が解決しようとする課題】
上述したレーザ墨出し器の内、特許文献１に示されるレーザ墨出し器では、複数台のレーザユニットがレーザモジュール取付台の上面に４方を向いて配設されるため、取付台の面積が大きくなり、レーザ墨出し器が大型化して持ち運びに不便であった。また、レーザユニットなどの光学系がジンバル機構の上部に配置されているため、重心位置が高くなってジャイロの安定が悪くなり、レーザユニットからのライン光が鉛直面内に照射されるように調整する手間がかかる。
【０００７】
また、特許文献２に示されるレーザ墨出し器では、天井と両側壁とに垂直ラインを投射するために３台のレーザユニットが必要なため、合計５台のレーザユニットが必要になるから、製造コストがアップし、また光学系の調整が難しくなるという問題があった。
【０００８】
また更に、特許文献３に示されるレーザ墨出し器では、一方の側壁に寄せてレーザ墨出し器を配置すれば、対向する２つの側壁と天井と床の四面にライン光を投射できるが、図１１に示すようにレーザ墨出し器１を部屋の中央に配置した場合は、一方の側壁と天井と床の３面にしかライン光Ａを投射できなかった（図中の斜線部はライン光Ａが放射される鉛直面を示す）。
【０００９】
本発明は上記問題点に鑑みて為されたものであり、その目的とするところは、設置場所に関わらず対向する２つの側壁と天井と床の４面に鉛直面を示すライン光を照射できる小型で低コストのレーザ墨出し器を提供することにある。
【００１０】
【課題を解決するための手段】
上記目的を達成するために、請求項１の発明は、それぞれレーザ光を円筒レンズに通すことによって光軸を中心にして扇状に広がるライン光を放射する複数台のレーザユニットを備えたレーザ墨出し器において、対向する２つの側壁の内の一方と天井と床とに鉛直方向に沿って連続した第１の垂直ライン光を放射する第１のレーザユニットと、２つの側壁の内の他方と天井と床とに鉛直方向に沿って連続した第２の垂直ライン光を放射する第２のレーザユニットと、第１及び第２のレーザユニットが第１のレーザユニットを上側にして上下に並べて取り付けられた装置本体とを備え、第１及び第２の垂直ライン光が同一の鉛直面内に放射されるように第１及び第２のレーザユニットを装置本体に取り付けたことを特徴とする。
【００１１】
この発明によれば、第１のレーザユニットからの第１の垂直ライン光と第２のレーザユニットからの第２の垂直ライン光が同一の鉛直面内に放射されているので、２台のレーザユニットで対向する２つの側壁と天井と床との４面に同一の鉛直面を示す垂直ライン光を放射させることができ、またレーザユニットの台数が少なくて済むので、製造コストを低減でき、さらに第１及び第２のレーザユニットは上下に並べて装置本体に取り付けられているので、水平面内における装置本体の大きさを小型にできる。
【００１２】
請求項２の発明は、請求項１の発明において、第１及び第２のレーザユニットの光軸の仰角をそれぞれΦａ，Φｂとし、第１及び第２の垂直ライン光の広がり角度をそれぞれ２θａ，２θｂとすると、Φａ＋Φｂ＋θａ＋θｂ＞１８０°となるように仰角及び広がり角度を設定したことを特徴とする。
【００１３】
この発明によれば、Φａ＋Φｂ＋θａ＋θｂ＞１８０°となるように仰角及び広がり角度を設定したことで、第１のレーザユニットからの第１の垂直ライン光と第２のレーザユニットからの第２の垂直ライン光の一部を天井で重なり合わせることができ、対向する２つの側壁と天井と床との４面に連続した垂直ライン光を放射させることができる。
【００１４】
請求項３の発明は、請求項１又は２の発明において、装置本体を第１支軸の周りに揺動自在に軸支する第１支持体と、該第１支持体を第１支軸と直交する第２支軸の周りに揺動自在に軸支する第２支持体とで構成されるジンバル機構を備え、装置本体に対して第１のレーザユニットをジンバル機構よりも上側に配置するとともに、第２のレーザユニットをジンバル機構よりも下側に配置したことを特徴とする。
【００１５】
この発明によれば、ジンバル機構の下側に第２のレーザユニットを配置することで、第２のレーザユニットが錘の役目を果たして、装置本体の安定性が増し、振動などの外乱によって装置本体が動揺し、第１及び第２の垂直ライン光が鉛直方向からずれるのを防止できる。
【００１６】
請求項４の発明は、請求項１又は２の発明において、第１及び第２の垂直ライン光が放射される鉛直面に対して垂直な鉛直面内において、２つの側壁以外の側壁と天井と床とに鉛直方向に沿って連続した第３の垂直ライン光を放射する第３のレーザユニットを備え、第３のレーザユニットの光軸の仰角をΦｃ、第３の垂直ライン光の広がり角度を２θｃとすると、Φｃ＋θｃ＞９０°となるように、第３のレーザユニットを第１のレーザユニットと第２のレーザユニットとの間に上下に並べて装置本体に取り付けたことを特徴とする。
【００１７】
この発明によれば、Φｃ＋θｃ＞９０°とすることで、第１及び第２の垂直ライン光と第３の垂直ライン光とを交差させて、レーザ墨出し器の直上のポイントを表示することができる。また、第３のレーザユニットの第２のレーザユニットの下側に配置すると、第３の垂直ライン光が装置本体によってケラれるのを防ぐために第３のレーザユニットを装置本体から大きく飛び出させて配置する必要があるが、第３のレーザユニットを第１のレーザユニットと第２のレーザユニットの間に配置しているので、第３のレーザユニットの飛び出し量を小さくして、水平面内における装置本体の大きさを小型にでき、且つ、重心位置を安定させることができる。
【００１８】
請求項５の発明は、請求項４の発明において、水平面内において第１〜第３の垂直ライン光が放射される３つの側壁に水平ライン光を放射する第４のレーザユニットを備え、第４のレーザユニットを第２のレーザユニットの下側に上下に並べて装置本体に取り付けたことを特徴とする。
【００１９】
この発明によれば、３つの側壁と天井と床とに互いに直交する２つの鉛直面を示す垂直ラインと水平ラインとを放射することができ、さらに第４のレーザユニットは第２のレーザユニットの下側に上下に並べて取り付けられているので、水平面内における装置本体の大きさを小型にでき、且つ、重心位置を安定させることができる。
【００２０】
請求項６の発明は、請求項４又は５の発明において、装置本体を第１支軸の周りに揺動自在に軸支する第１支持体と、該第１支持体を第１支軸と直交する第２支軸の周りに揺動自在に軸支する第２支持体とで構成されるジンバル機構を備え、装置本体に対して第３のレーザユニットをジンバル機構の下側に配置したことを特徴とする。
【００２１】
この発明によれば、装置本体に対して第１のレーザユニットのみがジンバル機構の上側に配置され、他のレーザユニットはジンバル機構の下側に配置されるので、他のレーザユニットが錘の役目を果たして、装置本体の重心を下げることができ、装置本体の安定性が増し、振動などの外乱によって装置本体が動揺し、第１及び第２の垂直ライン光が鉛直方向からずれるのを防止できる。
【００２２】
【発明の実施の形態】
以下、本発明の実施の形態を図１〜図１０に基づいて説明する。
【００２３】
図２にはレーザ墨出し器１の全体斜視図を示し、図１にはカバー５を取り外した状態の正面図を示してある。尚、以下の説明では特に断りが無い場合、図１に示す向きにおいて上下左右の方向を規定し、図１における正面を前面という。従って、図４中の右側は後側となる。
【００２４】
このレーザ墨出し器１は基台３の下面に３本の支持脚１６を突設し、基台３の上面には後述の保持部１１を支持する４本の円柱４が立設されており、保持部１１によってレーザ照射装置２を揺動自在に吊持するジンバル機構が保持されている。また、基台３にはレーザ照射装置２を覆うようにしてカバー５が被着される。
【００２５】
レーザ照射装置２は、図４に示すように縦長の装置本体６に４台のレーザユニット２０ａ〜２０ｄを取り付けてあり、各レーザユニット２０ａ〜２０ｄからのライン光をカバー５に設けた照射窓５ａを通して外部へ照射するようになっている。各レーザユニット２０ａ〜２０ｄは鏡筒２５及び円筒レンズホルダー２６からなる器体２４を有し、鏡筒２５の内部には半導体レーザ素子２１とコリメートレンズ２２とが納装され、円筒レンズホルダー２６には円筒レンズ２３が取着されている。
【００２６】
図５（ａ）（ｂ）は各レーザユニット２０ａ〜２０ｄからライン光が照射される原理の説明図であり、半導体レーザ素子２１から放射されたレーザ光はコリメートレンズ２２に通されて平行光に変換された後、円筒レンズ２３に入射される。図５（ａ）に示すように、円筒レンズ２３に入射する光は中心軸方向においては屈折されず、この方向においてはレーザ光は収束されない。一方、図５（ｂ）に示すように、円筒レンズ２３の中心軸方向と直交する方向においては、円筒レンズ２３の周面の曲率によって、円筒レンズ２３の界面でレーザ光が屈折するから、この方向においてはレーザ光が扇状に広がるのである。而して、円筒レンズ２３から放射されるレーザ光は、円筒レンズ２３へのレーザ光の入射方向と、円筒レンズ２３の中心軸方向とにそれぞれ直交する一方向（すなわち、図５（ｂ）の上下方向）において扇状に広がるようなライン光となる。なお、垂直ラインを放射するレーザユニット２０ａ〜２０ｃから扇状に放射されるライン光の広がり角度を２θとし、光軸Ｌの水平線Ｌｈからの仰角をΦとすると、鉛直方向において（Φ±θ）の角度範囲でライン光が放射される。ここに、ライン光の広がり角度とは、ライン光の光軸Ｌからライン光の片側の端までの角度θの２倍の角度（すなわち扇形の中心角）のことを言い、本実施形態では広がり角度を１４０°（鈍角）としている。
【００２７】
次に、レーザ照射装置２を揺動自在に支持するジンバル機構について図３を参照して説明する。装置本体６の上側部には装置本体６を貫通する通し孔６ａが形成されており、この通し孔６ａに第１支持体７の第１支軸８を通すことによって、装置本体６は第１支持体７に対して第１支軸８の周りに揺動自在に軸支されている。すなわち、第１支持体７は矩形枠状に形成され、この第１支持体７に装置本体６を挿通した状態で、第１支持体７の対向する一対の片間に架け渡した第１支軸８を装置本体６の通し孔６ａに挿通することによって、装置本体６が第１支軸８の周りに揺動自在に軸支されるのである。
【００２８】
また第１支持体７は、第２支持体９に対して上記第１支軸８と直交する第２支軸１０の周りに揺動自在に軸支されている。すなわち、第２支持体９は第１支持体７よりも一回り大きな矩形枠状に形成され、第２支持体９内に第１支持体７を入れ子状に配置してある。そして、第１支持体７の第１支軸８を架け渡していない方の一対の片と、該一対の片に対向する第２支持体９の一対の片とにそれぞれ第２支軸１０を架設して、第１支持体７を第２支持体９に対して第２支軸１０の周りに揺動自在に軸支してある。
【００２９】
このようにして、レーザ照射装置２の装置本体６と第１支持体７と第１支軸８と第２支持体９と第２支軸１０とでジンバル機構を構成してあり、円柱４を介して基台３に支持された保持部１１に第２支持体９を保持させることで、装置本体６を全周方向に自在に揺動させ、自重によって鉛直方向に吊持するようになっている。
【００３０】
保持部１１は平板状をした枠体１２と蓋体１３とで構成される。枠体１２は矩形枠状であって、中央部に開口１２ａが設けてある。また、枠体１２の四隅部分には孔１２ｂが設けてあり、枠体１２を４本の円柱４に載置した状態で、枠体１２の四隅の孔１２ｂが各円柱４の上面部の雌ねじ穴４ａに連通するように設定してある。
【００３１】
一方、蓋体１３は下面が開口した箱状であって、上面から一側面の中間部にかけてレーザ照射装置２の上部を通すための開口１３ａが設けられ、蓋体１３の下端部の四隅には固定具挿入孔１３ｃを有する取付片１３ｂが設けてある。なお、蓋体１３の下面の開口は、枠体１２の開口１２ａよりも大きく設定してあり、開口１２ａは第２支持体９の内周形状及び大きさと略同じになっている。
【００３２】
而して、基台３の上面に立設された４本の円柱４上に枠体１２を載置し、この枠体１２の上面に一対の緩衝体１４，１４で両側から挟んだ第２支持体９を載置した後、枠体１２の上側から蓋体１３を被せて、枠体１２と蓋体１３との間に緩衝体１４，１４を介して第２支持体９を収納保持する。この時、レーザ照射装置２の下側部分は枠体１２の開口１２ａを通して下方に突出し、レーザ照射装置２の上側部分は蓋体１３の開口１３ａを通して上方に突出する。このように円柱４に載置した枠体１２と蓋体１３とで構成される保持部１１に第２支持体９を収納して保持した状態で、蓋体１３に設けた固定具挿入孔１３ｃと枠体１２の孔１２ｂとにねじのような固定具１５を通し、円柱４の上面に設けた雌ねじ穴４ａに固定具１５を螺合することで、枠体１２と蓋体１３とからなる保持部１１を円柱４に固着するとともに、上述のジンバル機構を保持部１１に保持させるのである。
【００３３】
ここで、各レーザユニット２０ａ〜２０ｄの配置について以下に詳細に説明する。図７及び図８は四方を側壁で囲まれた部屋の中央にレーザ墨出し器１を配置して墨出し作業を行う場合の説明図であり、４台のレーザユニット２０ａ〜２０ｄの内、第１及び第２のレーザユニットとしての２台のレーザユニット２０ａ，２０ｂは、同一の鉛直面Ｖ１を示すライン光Ａ，Ｂを対向する２つの側壁（図７中の左右の側壁）と天井と床とにそれぞれ投射するもので、レーザユニット２０ａは装置本体６の上部に、レーザユニット２０ｂは装置本体６の左側の側面にそれぞれ配置され、上述のジンバル機構によって装置本体６が鉛直方向に垂立した状態で、レーザユニット２０ａ，２０ｂからのライン光が同一の鉛直面Ｖ１内に照射されるように装置本体６に取り付けられている。すなわち、２台のレーザユニット２０ａ，２０ｂの光軸Ｌａ，Ｌｂは、レーザ墨出し器１が設置された点（地墨点）ｏを通り鉛直面Ｖ１に対して垂直な鉛直面Ｖ２に対して互いに反対側を向いており、レーザユニット２０ａからのライン光Ａ（第１の垂直ライン光）は、鉛直面Ｖ２に対向する一方の側壁と天井と床とに放射されて図中の点ａ，ｂ，ｃ，ｄを通る。また、レーザユニット２０ｂからのライン光Ｂ（第２の垂直ライン光）は、鉛直面Ｖ２に対向する他方の側壁と天井と床とに放射されて図中の点ｅ，ｆ，ｇ，ｈを通る。ここに、レーザユニット２０ａ，２０ｂは装置本体６に対してライン光Ａ，Ｂが同一平面内に放射されるように取り付けられているので、ライン光Ａが通る点ａ，ｂ，ｃ，ｄと、ライン光Ｂが点ｅ，ｆ，ｇ，ｈは共に鉛直面Ｖ１上の点になり、したがってライン光Ａ，Ｂにより対向する２つの側壁と天井と床とに鉛直面Ｖ１を示す連続した垂直ラインが投射されるのである。
【００３４】
図９に示すようにレーザユニット２０ａの光軸Ｌａの仰角（線分ｏａと光軸Ｌａとが為す角）をΦａ、光軸Ｌａを中心としたライン光の広がり角度（中心角）を２θａとして、レーザユニット２０ｂの光軸Ｌｂの仰角（線分ｏｅと光軸Ｌｂとが為す角）をΦｂ、光軸Ｌｂを中心としたライン光の広がり角度を２θｂとすると、側壁と天井と床とに連続したライン光を照射でき、且つ、Φａ＋Φｂ＋θａ＋θｂ＞１８０°となるように、レーザユニット２０ａ，２０ｂの取付角度やライン光の広がり角度を設定してあるので、天井面においてライン光Ａとライン光Ｂの一部が重なり合い、対向する２つの側壁と天井と床とに鉛直面Ｖ１を示す連続した垂直ラインを投射することができる（図７及び図８参照）。
【００３５】
なお、図９ではレーザユニット２０ａ，２０ｂが同じ高さに配置されているように簡略化して図示しているが、実際には図１０に示すようにレーザユニット２０ａがレーザユニット２０ｂよりも高さｈ１だけ上側に位置するように鉛直方向に並べて配置されている。ここで、光軸Ｌａの仰角を４５°、光軸Ｌｂの仰角を０°とし、ライン光Ａ，Ｂの広がり角度２θａ，２θｂをともに１４０°（θａ＝θｂ＝７０°）として、高さｈ１を７０ｍｍとすると、レーザユニット２０ａよりもｈ２＝３１９ｍｍだけ上方の点Ｘでライン光Ａ，Ｂが交わることになる。レーザ墨出し器１の一般的な使われ方を考慮すると、床面から天井面までの高さはおおよそ３ｍであるので、ライン光Ａ，Ｂが交わる点Ｘよりも天井の方が十分高い位置にあり、天井面でライン光Ａ，Ｂを確実に重なり合わせて連続したライン光を投射することができる。
【００３６】
また、第３のレーザユニットとしてのレーザユニット２０ｃは、点ｏを通り上記鉛直面Ｖ１に対して垂直な鉛直面Ｖ２を示すライン光Ｃ（第３の垂直ライン光）を、鉛直面Ｖ１に対向する一方の側壁と天井と床とに投射するもので、装置本体６の前側の側面に配置される。またレーザユニット２０ｃは、レーザユニット２０ａとレーザユニット２０ｂとの間に鉛直方向に並べて配置されており、ジンバル機構によって装置本体６が鉛直方向に垂立した状態で、レーザユニット２０ｃからのライン光Ｃが鉛直面Ｖ２内に照射されるように装置本体６に取り付けられている。
【００３７】
ところで、墨出し作業を行う場合には鉛直面Ｖ１を示すライン光Ａ，Ｂと鉛直面Ｖ２を示すライン光Ｃとがレーザ墨出し器１の直上のポイントで交差していることが望ましいので、レーザユニット２０ｃの光軸Ｌｃの仰角をΦｃ、ライン光Ｃの広がり角を２θｃとすると、側壁と天井と床とに連続したライン光を照射でき、且つ、Φｃ＋θｃ＞９０°となるように、レーザユニット２０ｃの取付角度やライン光Ｃの広がり角度を設定する。ここで、レーザユニット２０ｃはレーザユニット２０ａよりも下側に配置されており、レーザユニット２０ｃからのライン光Ｃがレーザ照射装置２の上部に配置されたレーザユニット２０ａによってケラれるため、レーザユニット２０ｃを装置本体６から長さＬ１だけ側方に飛び出させて配置する必要がある。仮にレーザユニット２０ｃがレーザユニット２０ｂよりも下側に配置されていると、レーザ照射装置２の上端からの距離が長くなるため、レーザユニット２０ｃの飛び出し量Ｌ１をさらに大きくしなければならず、レーザユニット２０ｃの重量によって装置本体６の重心位置が外側に偏ってしまうため、ジンバル機構により装置本体６を吊持する際の安定性が悪くなる。そこで、本実施形態ではレーザユニット２０ｃをレーザユニット２０ｂよりも上側に配置しており、レーザユニット２０ｃの飛び出し量Ｌ１をできるだけ小さくして、装置本体６の重心位置が外側に偏るのを防止し、装置本体６の安定性を向上させている。
【００３８】
また、第４のレーザユニットとしてのレーザユニット２０ｄは水平面Ｈ１を示すライン光Ｄ（水平ライン光）を、ライン光Ａ〜Ｃが放射される３方の側壁に投射するもので、ジンバル機構によって装置本体６が鉛直方向に垂立した状態で、レーザユニット２０ｄからのライン光Ｄが水平面Ｈ１内に照射されるように装置本体６に取り付けられている。すなわち、上記３方の側壁に連続した水平ラインを照射できるように、レーザユニット２０ｄの取付角度やライン光Ｄの広がり角度が設定されている。ここで、レーザユニット２０ｄはレーザユニット２０ｂよりも下側に配置されている。上述のようにレーザユニット２０ｂは鉛直面Ｖ１を示すライン光Ｂを照射しており、レーザユニット２０ｂからのライン光Ｂは床面にも照射されるため、ライン光Ｂが基台３によってケラれるのを防止するために、レーザユニット２０ｂをできるだけ上側に配置するのが好ましく、本実施形態ではレーザユニット２０ｂをレーザユニット２０ｄよりも上側に配置している。
【００３９】
また、４台のレーザユニット２０ａ〜２０ｄの内、レーザユニット２０ａのみがジンバル機構の上側に配置され、他の３台のレーザユニット２０ｂ〜２０ｄはジンバル機構の下側に配置されているので、レーザユニット２０ｂ〜２０ｄが錘の役目を果たして、装置本体６の重心位置を下側にもっていくことができ、そのためジンバル機構がより安定して、外乱による振動などの影響を受けにくくなり、垂直ラインや水平ラインの精度が向上するという利点がある。
【００４０】
なお、本実施形態では上述のような理由で４台のレーザユニット２０ａ〜２０ｄを、レーザユニット２０ａ，２０ｃ，２０ｂ，２０ｄの順番に鉛直方向に並べて装置本体６に取り付けており、レーザユニット２０ａの鉛直下方に他の３台のレーザユニット２０ｃ，２０ｂ，２０ｄが配置されているので、４台のレーザユニット２０ａ〜２０ｄを水平な面内に並べて配置する場合に比べて、上側から見た装置本体６の大きさを小さくでき、レーザ墨出し器１の小型化が可能になったり、重心位置を低くして安定させることができる。なお、レーザユニット２０ａ〜２０ｄの順番は、重心位置を下げたり小型化を図ったりするために決定したものであり、これらの要求がなければ上述の順番にはこだわらない。
【００４１】
【発明の効果】
以上説明したように、請求項１の発明では、第１のレーザユニットからの第１の垂直ライン光と第２のレーザユニットからの第２の垂直ライン光が同一の鉛直面内に放射されているので、２台のレーザユニットで対向する２つの側壁と天井と床との４面に同一の鉛直面を示す垂直ライン光を放射させることができ、またレーザユニットの台数が少なくて済むので、製造コストを低減でき、さらに第１及び第２のレーザユニットは上下に並べて装置本体に取り付けられているので、水平面内における装置本体の大きさを小型にできる。
【００４２】
請求項２の発明では、Φａ＋Φｂ＋θａ＋θｂ＞１８０°となるように仰角及び広がり角度を設定したことで、第１のレーザユニットからの第１の垂直ライン光と第２のレーザユニットからの第２の垂直ライン光の一部を天井で重なり合わせることができ、対向する２つの側壁と天井と床との４面に連続した垂直ライン光を放射させることができる。
【００４３】
請求項３の発明では、ジンバル機構の下側に第２のレーザユニットを配置することで、第２のレーザユニットが錘の役目を果たして、装置本体の安定性が増し、振動などの外乱によって装置本体が動揺し、第１及び第２の垂直ライン光が鉛直方向からずれるのを防止できる。
【００４４】
請求項４の発明では、Φｃ＋θｃ＞９０°とすることで、第１及び第２の垂直ライン光と第３の垂直ライン光とを交差させて、レーザ墨出し器の直上のポイントを表示することができる。また、第３のレーザユニットの第２のレーザユニットの下側に配置すると、第３の垂直ライン光が装置本体によってケラれるのを防ぐために第３のレーザユニットを装置本体から大きく飛び出させて配置する必要があるが、第３のレーザユニットを第１のレーザユニットと第２のレーザユニットの間に配置しているので、第３のレーザユニットの飛び出し量を小さくして、水平面内における装置本体の大きさを小型にでき、且つ、重心位置を安定させることができる。
【００４５】
請求項５の発明では、３つの側壁と天井と床とに互いに直交する２つの鉛直面を示す垂直ラインと水平ラインとを放射することができ、さらに第４のレーザユニットは第２のレーザユニットの下側に上下に並べて取り付けられているので、水平面内における装置本体の大きさを小型にでき、且つ、重心位置を安定させることができる。
【００４６】
請求項６の発明では、装置本体に対して第１のレーザユニットのみがジンバル機構の上側に配置され、他のレーザユニットはジンバル機構の下側に配置されるので、他のレーザユニットが錘の役目を果たして、装置本体の重心を下げることができ、装置本体の安定性が増し、振動などの外乱によって装置本体が動揺し、第１及び第２の垂直ライン光が鉛直方向からずれるのを防止できる。
【図面の簡単な説明】
【図１】本実施形態のレーザ墨出し器のカバーを取り外した状態の正面図である。
【図２】同上の外観斜視図である。
【図３】同上の要部分解斜視図である。
【図４】同上のレーザ照射装置を右側から見た図である。
【図５】（ａ）（ｂ）は同上のレーザユニットの光学系の説明図である。
【図６】同上のレーザユニットから放射されるライン光の説明図である。
【図７】同上のレーザユニット２０ａ，２０ｂから放射されるライン光の説明図である。
【図８】同上のレーザユニット２０ａ〜２０ｄから放射されるライン光の説明図である。
【図９】同上のレーザユニット２０ａ，２０ｂからのライン光を説明する簡略化した説明図である。
【図１０】同上のレーザユニット２０ａ，２０ｂからのライン光を説明する説明図である。
【図１１】従来のレーザ墨出し器の使用状態の説明図である。
【符号の説明】
１  レーザ墨出し器
６  装置本体
２０ａ，２０ｂ  レーザユニット
Ａ，Ｂ  ライン光
【図１】
2005010109.tif 000003
【図２】
2005010109.tif 000004
【図３】
2005010109.tif 000005
【図４】
2005010109.tif 000006
【図５】
2005010109.tif 000007
【図６】
2005010109.tif 000008
【図７】
2005010109.tif 000009
【図８】
2005010109.tif 000010
【図９】
2005010109.tif 000011
【図１０】
2005010109.tif 000012
【図１１】
2005010109.tif 000013